(57)【要約】【課題】床面等の相手部材の損傷を確実に防止でき、かつ、部品点数を減らして製造コストを低く抑えた角度調節金具を提供する。【解決手段】揺動軸心Ｃ廻りに揺動可能に枢結された第１アーム１と第２アーム２とを備え、第１アーム１は、所定の間隔をもって配設される一対の対面壁部を有するケース部を備え、第１アーム１と第２アーム２の一方向Ａへの相対的な揺動を可能としつつ他方向Ｂへの相対的な揺動を多段階で規制して所定の傾斜角度で保持する角度調整機構を備えた角度調整金具に於て、ケース部を包囲する合成樹脂製のカバー部材２０を備え、カバー部材２０は、第１アーム１及び第２アーム２の下面との摩擦による相手部材の破損を防止する相手部材保護用の底壁部２４と、角度調整機構への異物侵入防止用の天井壁部２６と、底壁部２４と天井壁部２６を連結する左右一対の側壁部２３，２３と、を一体に有している。【選択図】図１
2013192739.tif 000002
【特許請求の範囲】
【請求項１】
揺動軸心（Ｃ）廻りに揺動可能に枢結された第１アーム（１）と第２アーム（２）とを備え、該第１アーム（１）は、所定の間隔（１６）をもって配設される一対の対面壁部（１７）（１７）を有するケース部（３）を備え、上記第１アーム（１）と上記第２アーム（２）の一方向（Ａ）への相対的な揺動を可能としつつ他方向（Ｂ）への相対的な揺動を多段階で規制して所定の傾斜角度（θ）で保持する角度調整機構（１９）を備えた角度調整金具に於て、
上記ケース部（３）を包囲する合成樹脂製のカバー部材（２０）を備え、該カバー部材（２０）は、該第１アーム（１）及び該第２アーム（２）の下面との摩擦による相手部材の破損を防止する相手部材保護用の底壁部（２４）と、上記角度調整機構（１９）への異物侵入防止用の天井壁部（２６）と、該底壁部（２４）と該天井壁部（２６）を連結する左右一対の側壁部（２３）（２３）と、を一体に有していることを特徴とする角度調整金具。
【請求項２】
上記角度調整機構（１９）は、揺動軸心（Ｃ）を中心とする円弧線に沿って上記第２アーム（２）側に形成されたギア部（４）と、上記第１アーム（１）側に形成したくさび面（８）と上記ギア部（４）の間に移動可能として保持されると共に一面側が上記ギア部（４）に噛合可能な歯面（７）とされ他面側が上記くさび面（８）に当接する当接面（９）とされた浮動くさび部材（６）と、を具備し、該浮動くさび部材（６）のくさび作用により上記第２アーム（２）が上記第１アーム（１）に対して他方向（Ｂ）へ揺動するのを規制するように構成され、上記カバー部材（２０）の上記側壁部（２３）（２３）が上記浮動くさび部材（６）の左右側端面（６Ａ）（６Ａ）に当接乃至近接して脱落を防止するように構成されている請求項１記載の角度調整金具。
【請求項３】
上記カバー部材（２０）は、上記ケース部（３）に係止して該ケース部（３）に包囲状に取着するための係止手段（２５）を具備する請求項１又は２記載の角度調整金具。
【請求項４】
上記カバー部材（２０）は、上記第２アーム（２）が揺動に伴って進入可能なスリット状開口部（２１）を有し、該開口部（２１）の左右側端縁に、上記第２アーム（２）に摺接して拡幅可能な薄肉片状のリップ部（２２）が形成されている請求項１，２又は３記載の角度調整金具。
【請求項５】
上記ギア部（４）は、所定間隔をもって配設した２枚のギア板部（２７）（２７）をもって構成され、上記第１アーム（１）と上記第２アーム（２）は、上記ケース部（３）の上記対面壁部（１７）（１７）間の上記間隔（１６）に上記ギア板部（２７）（２７）を収納し、かつ、上記カバー部材（２０）が該ケース部（３）を包囲状に被覆するように取着され、さらに、上記カバー部材（２０）の左右外方から上記側壁部（２３）（２３）及び上記対面壁部（１７）（１７）及び上記ギア板部（２７）（２７）に軸部材（２９）を貫通して枢結されている請求項１，２，３又は４記載の角度調整金具。
【請求項６】
背部（３５）と座部（３６）を有する椅子（Ｅ）に於て、上記背部（３５）の傾斜角度を調整できるように上記背部（３５）と上記座部（３６）との間に配設される角度調整金具であって、
上記第１アーム（１）は、上記ケース部（３）から延伸する第１取付部（１８）を有し、上記第２アーム（２）は、上記ギア部（４）から延伸する第２取付部（２８）を有し、該第１取付部（１８）と該第２取付部（２８）に上記背部（３５）又は上記座部（３６）のパイプフレーム（Ｆ）を外嵌すると共に該パイプフレーム（Ｆ）の先端から所定寸法離れた位置に形成された貫孔（３４）の内部を溶接することにより固着されている請求項１，２，３，４又は５記載の角度調整金具。
【請求項７】
上記カバー部材（２０）は、上記底壁部（２４）の後端縁に連設されると共に上記側壁部（２３）（２３）と分離して上下揺動自在の可撓舌片（３０）を有している請求項１，２，３，４，５又は６記載の角度調整金具。
【発明の詳細な説明】
【技術分野】
【０００１】
本発明は、角度調整金具に関する。
【背景技術】
【０００２】
従来、本出願人は、一方側の部材と他方側の部材との成す角度を任意に設定できる関節部材として角度調節機能を有する角度調整金具を提案している（特許文献１参照）。
【先行技術文献】
【特許文献】
【０００３】
【特許文献１】特許第４４１８３８２号公報
【発明の概要】
【発明が解決しようとする課題】
【０００４】
例えば、図１２の斜視図に示すように、背部３５と座部３６を有する椅子Ｅ（座椅子）は、背部３５の傾斜角度を調整できるように背部３５と座部３６との間に角度調節金具を配設している。
図１４に示すような従来の角度調節金具４０は、一方側の部材（図１２の座部３６）に連結した第１アーム４１のケース部４３内に、他方側の部材（図１２の背部３５）に連結した第２アーム４２のギア部４４と、浮動くさび部材４５とを保持させ、この浮動くさび部材４５のギア部４４への噛合により第１アーム４１に対する第２アーム４２の展開方向（背部３５の傾倒方向）への揺動を抑止するように構成されている。
【０００５】
従来の角度調節金具４０は、第２アーム４２のギア部４４を上方から覆うように配設された合成樹脂製の異物侵入防止部材４６を備え、さらに、ケース部４３を下方及び左右外側から包囲するように配設され、浮動くさび部材４５の脱落を防止するための金属製カバー部材４７を備えていた。さらに、第１アーム４１及び第２アーム４２の下面（即ち、上記金属製カバー部材４７）との摩滅による相手部材の破損を防止するために、椅子Ｅ（座椅子）の製作工程段階に於て、枠体としてのパイプフレームを連結した後に、合成樹脂製のソールカバー（図示省略）を取着していた。つまり、椅子Ｅ（座椅子）の枠体としてのパイプフレームの端部を、第１アーム４１・第２アーム４２に外嵌して溶接する必要があり、合成樹脂製のソールカバーが溶接の熱によって、損傷を受けるため、この溶接した後にソールカバーを取着する必要があった。
【０００６】
しかし、従来のこのような構成では、合成樹脂製のソールカバーを、後工程で取着する（組付ける）手間が掛るという問題があった。さらに、異物侵入防止部材４６と上記ソールカバーは、合成樹脂製の小型部品であるので、強固に取着するのが難しい場合があり、不意に離脱するという問題もあり、２つの部品を別々に製造するためコストが高くなるという欠点があった。
【０００７】
そこで、本発明は、床面等の相手部材の損傷を確実に防止でき、かつ、部品点数を減らして製造コストを低く抑えた角度調節金具を提供することを目的とする。さらに、椅子（座椅子）等の製作の後工程で、わざわざソールカバーを取着する手間を省略することを別の目的とする。
【課題を解決するための手段】
【０００８】
本発明に係る角度調節金具は、揺動軸心廻りに揺動可能に枢結された第１アームと第２アームとを備え、該第１アームは、所定の間隔をもって配設される一対の対面壁部を有するケース部を備え、上記第１アームと上記第２アームの一方向への相対的な揺動を可能としつつ他方向への相対的な揺動を多段階で規制して所定の傾斜角度で保持する角度調整機構を備えた角度調整金具に於て、上記ケース部を包囲する合成樹脂製のカバー部材を備え、該カバー部材は、該第１アーム及び該第２アームの下面との摩擦による相手部材の破損を防止する相手部材保護用の底壁部と、上記角度調整機構への異物侵入防止用の天井壁部と、該底壁部と該天井壁部を連結する左右一対の側壁部と、を一体に有しているものである。
【０００９】
また、上記角度調整機構は、揺動軸心を中心とする円弧線に沿って上記第２アーム側に形成されたギア部と、上記第１アーム側に形成したくさび面と上記ギア部の間に移動可能として保持されると共に一面側が上記ギア部に噛合可能な歯面とされ他面側が上記くさび面に当接する当接面とされた浮動くさび部材と、を具備し、該浮動くさび部材のくさび作用により上記第２アームが上記第１アームに対して他方向へ揺動するのを規制するように構成され、上記カバー部材の上記側壁部が上記浮動くさび部材の左右側端面に当接乃至近接して脱落を防止するように構成されているものである。
また、上記カバー部材は、上記ケース部に係止して該ケース部に包囲状に取着するための係止手段を具備するものである。
【００１０】
また、上記カバー部材は、上記第２アームが揺動に伴って進入可能なスリット状開口部を有し、該開口部の左右側端縁に、上記第２アームに摺接して拡幅可能な薄肉片状のリップ部が形成されているものである。
また、上記ギア部は、所定間隔をもって配設した２枚のギア板部をもって構成され、上記第１アームと上記第２アームは、上記ケース部の上記対面壁部間の上記間隔に上記ギア板部を収納し、かつ、上記カバー部材が該ケース部を包囲状に被覆するように取着され、さらに、上記カバー部材の左右外方から上記側壁部及び上記対面壁部及び上記ギア板部に軸部材を貫通して枢結されているものである。
【００１１】
また、背部と座部を有する椅子に於て、上記背部の傾斜角度を調整できるように上記背部と上記座部との間に配設される角度調整金具であって、上記第１アームは、上記ケース部から延伸する第１取付部を有し、上記第２アームは、上記ギア部から延伸する第２取付部を有し、該第１取付部と該第２取付部に上記背部又は上記座部のパイプフレームを外嵌すると共に該パイプフレームの先端から所定寸法離れた位置に形成された貫孔の内部を溶接することにより固着されているものである。
また、上記カバー部材は、上記底壁部の後端縁に連設されると共に上記側壁部と分離して上下揺動自在の可撓舌片を有しているものである。
【発明の効果】
【００１２】
本発明の角度調節金具によれば、合成樹脂製のカバー部材によって、異物侵入防止用と相手部材保護用の部品を兼用一体化できる。従来は２部品で構成されていた部品を、単一部品に一体化して部品点数を減らすことができ、強固にケース部に取着可能であって、コストを低く抑えることができる。角度調整機構への異物の侵入を確実に防止でき、かつ、第１アーム及び第２アームの下面と相手部材の摩滅による破損を確実に防止できる。
【図面の簡単な説明】
【００１３】
【図１】本発明の実施の一形態の傾倒状態を示した斜視図である。
【図２】本発明の実施の一形態の起立状態を示した斜視図である。
【図３】角度調節金具の分解状態を示した斜視図である。
【図４】本発明の他の実施形態を示した斜視図である。
【図５】図４の一部を断面にて示した斜視図である。
【図６】図４の要部拡大断面図である。
【図７】図４のカバー部材を展開状態で示した斜視図である。
【図８】本発明の別の実施形態を示した斜視図である。
【図９】図８の一部を断面にて示した斜視図である。
【図１０】図８の要部拡大断面図である。
【図１１】図８のカバー部材を展開状態で示した斜視図である。
【図１２】本発明の角度調節金具を有する座椅子、及び、従来技術を説明するための座椅子の斜視図である。
【図１３】角度調節金具と椅子の連結部を示した平面図である。
【図１４】従来の角度調節金具を示した斜視図である。
【発明を実施するための形態】
【００１４】
以下、実施の形態を示す図面に基づき本発明を詳説する。
本発明の角度調節金具Ｚは、例えば、図１２の斜視図に示すように、背部３５と座部３６を有する椅子Ｅに於て、背部３５の傾斜角度を調整できるように背部３５と座部３６との間に配設されるものであって、角度調整機能を有する関節金具（連結金具）である。なお、本発明の角度調節金具Ｚは、図１２に示すような座椅子、又は、リクライニングチェアにも使用可能であり、また、ソファ、又は、ヘッドレスト、フットレスト等に使用しても良い。
図１〜図３に示すように、本発明の角度調節金具は、揺動軸心Ｃ廻りに揺動可能に枢結された第１アーム１と第２アーム２とを備え、第１アーム１は、所定の間隔１６をもって配設される一対の対面壁部１７，１７を有するケース部３を備え、第１アーム１と第２アーム２の一方向Ａへの相対的な揺動を可能としつつ他方向Ｂへの相対的な揺動を多段階で規制して所定の傾斜角度θで保持する角度調整機構１９を備えている。
【００１５】
図１〜図３に示すような角度調整機構１９は、揺動軸心Ｃを中心とする円弧線に沿って第２アーム２側に形成されたギア部４と、第１アーム１側に形成したくさび面８とギア部４の間に移動可能として保持されると共に一面側がギア部４に噛合可能な歯面７とされ他面側がくさび面８に当接する当接面９とされた浮動くさび部材６と、を具備し、浮動くさび部材６のくさび作用により第２アーム２が第１アーム１に対して他方向Ｂへ揺動するのを規制（抑制）するように構成されている。
第１アーム１のケース部３には、浮動くさび部材６を移動可能として保持するためのくさび形窓部５，５が形成されている。くさび形窓部５，５は、揺動軸心Ｃ側が凹となるように、対面壁部１７，１７の各々に同一形状で貫通状として形成されている。揺動軸心Ｃから見て、各くさび形窓部５の外方側に円弧状のくさび面８を有し、内方側には揺動軸心Ｃを中心とした円弧面が形成されている。くさび形窓部５，５からは、ギア部４の歯が左右方向から見える状態である。
【００１６】
本発明の角度調節金具は、ケース部３を包囲する合成樹脂製のカバー部材２０を備え、カバー部材２０は、第１アーム１及び第２アーム２の下面との摩擦による相手部材の破損を防止する相手部材保護用の底壁部２４と、角度調整機構１９への異物侵入防止用の天井壁部２６と、底壁部２４と天井壁部２６を連結する左右一対の側壁部２３，２３と、を一体に有し、カバー部材２０の側壁部２３，２３が浮動くさび部材６の左右側端面６Ａ，６Ａに当接乃至近接して脱落を防止するように構成されている。
底壁部２４は、平坦な長方形状であって、ケース部３の下面を覆うように形成されると共に、左右の長辺が側壁部２３，２３に連結されている。底壁部２４と側壁部２３，２３との境界部は、薄肉化して折曲げ易いように構成されている。側壁部２３，２３は、後述の軸部材２９を通すための孔部３３，３３が形成されている。天井壁部２６は、側壁部２３，２３から折曲時内側方向に弯曲状に立ち上げられ、中央部で僅かに重ね合わされて、浮動くさび部材６とギア部４の上方を覆うように形成されている。
【００１７】
カバー部材２０は、ケース部３に係止してケース部３に包囲状に取着するための係止手段２５を具備している。
図１〜図３では、係止手段２５は、金属製の板ばね部材１２から成る。カバー部材２０は、図１と図２に示す取着使用状態下で側壁部２３，２３が浮動くさび部材６に当接乃至近接する箇所の近傍に、その外壁面を窪ませて嵌着溝部２３Ａ，２３Ａが形成され、この嵌着溝部２３Ａ，２３Ａに弾発力をもって板ばね部材１２が嵌込まれている。係止手段２５（板ばね部材１２）は、カバー部材２０がケース部３に包囲状に被せられた状態で、カバー部材２０の復元力により開いてしまわないように、その姿勢を保持させている。
【００１８】
また、カバー部材２０は、第２アーム２が揺動に伴って進入可能なスリット状開口部２１を有している。さらに、開口部２１の左右側端縁に、第２アーム２に摺接して拡幅可能な薄肉片状のリップ部２２が形成されている。
カバー部材２０は、第２アーム２が起立（一方向Ａへ揺動）した際に（図２参照）、第２アーム２の進入路として、左右方向中央線に沿ったスリット状開口部２１が天井壁部２６の一部に形成されている。天井壁部２６は、スリット状開口部２１が形成された開放屋根ゾーンＧ１を第２アーム２寄りに有し、浮動くさび部材６とギア部４の噛合箇所を上方から覆う閉鎖屋根ゾーンＧ２を第１アーム１寄りに有し、その境界付近に係止手段２５が配設されている。
リップ部２２は、複数箇所に（左右方向の）切込み部３２が形成されている。リップ部２２は、切込み部３２により分割されて、その夫々が独立して揺動可能とされ、第２アーム２が開口部２１に進入した際に、第２アーム２に微小な反発力をもって摺接しつつ小さな力で拡開するように構成されている。
【００１９】
また、カバー部材２０は、底壁部２４の後端縁に連設されると共に側壁部２３，２３と分離して上下揺動自在の可撓舌片３０を有している。
可撓舌片３０は、底壁部２４の第２アーム２側に延設されている。つまり、可撓舌片３０は、一辺が底壁部２４に連設された長方形状であって、上下方向に力が加われば弯曲・揺動が可能である。
【００２０】
図３に示すように、ギア部４は、所定間隔をもって配設した２枚のギア板部２７，２７をもって構成され、第１アーム１と第２アーム２は、ケース部３の対面壁部１７，１７間の間隔１６にギア板部２７，２７を収納している。そして、図１と図２に示すように、カバー部材２０がケース部３を包囲状に被覆するように取着され、さらに、カバー部材２０の左右外方から側壁部２３，２３及び対面壁部１７，１７及び上記ギア板部２７，２７に軸部材２９を貫通して枢結されている。
第１アーム１及び第２アーム２は、対面壁部１７，１７・ギア板部２７，２７が夫々所定の間隔をもって平行となるように折曲加工して成り、対面壁部１７，１７とギア板部２７，２７が重なった重複部１０を形成している。側壁部２３，２３及び対面壁部１７，１７及びギア板部２７，２７には、各々の中央部に貫通孔が設けられ、折曲加工することで、揺動軸心Ｃを中心として左右方向に貫通する軸孔が構成されている。軸部材２９は、この軸孔に挿通されてカシメ加工され、第１アーム１に対し第２アーム２を揺動軸心Ｃ廻りに揺動可能として枢結し、カバー部材２０をケース部３に強固に取り付けている。
【００２１】
図１２に示すような背部３５と座部３６を有する椅子Ｅに於て、背部３５の傾斜角度を調整できるように背部３５と座部３６との間に配設される角度調整金具であって、第１アーム１は、ケース部３から延伸する第１取付部１８を有し、第２アーム２は、ギア部４から延伸する第２取付部２８を有している。
図１３では、第１取付部１８と第２取付部２８に、背部３５又は座部３６のパイプフレームＦを外嵌すると共にパイプフレームＦの先端から所定寸法離れた位置に形成された貫孔３４の内部を溶接することにより固着されている。なお、図示省略するが、第１取付部１８及び第２取付部２８の下面にはカシメ固定用の孔部が形成され、パイプフレームＦを下方から（プレス加工にて）カシめることにより固着されている。この構成により、カバー部材２０の可撓舌片３０を溶接の熱で損傷することなく、溶接とカシメの２つの手段にて、第１アーム１と第２アーム２を背部３５と座部３６のパイプフレームＦ，Ｆに強固に取着することができる。
第１取付部１８及び第２取付部２８は、椅子Ｅの背部３５又は座部３６のパイプフレームＦを差し込み固定ができるように円筒形状とされている。本発明に於て、ケース部３がカバー部材２０に包囲されているため、溶接の熱の影響でカバー部材２０が溶けて変形したりしないように、パイプフレームＦの先端から所定寸法離れた位置に溶接箇所を設けている。また、貫孔３４の内部を溶接させることで、溶接強度を確保すると共に、溶接の狙いを定め易くして作業効率を向上する。
【００２２】
第１アーム１は、ケース部３に形成したくさび形窓部５，５内に、浮動くさび部材６を移動可能として保持しており、くさび形窓部５，５には、浮動くさび部材６の歯面７とギア部４との噛合状態を解除して収容させる退避空間部１１を有している。第２アーム２は、浮動くさび部材６を一方向Ａに押圧する押し返し突部を、ギア部４の一端側（上部側）に有し、かつ、退避空間部１１に収容された浮動くさび部材６を他方向Ｂに押し出す押し出し突部を、ギア部４の他端側（下部側）に有している。
また、ケース部３は、浮動くさび部材６をギア部４へ押し付ける方向に弾発付勢する弾発部材１３を有している。弾発部材１３は、板バネ部材から成り、両端部がケース部３に固定され、中央部が浮動くさび部材６の当接面９を押圧している。
【００２３】
次に、本発明の他の実施形態について説明する。
図４に示すように、ケース部３を包囲する合成樹脂製のカバー部材２０を備えている点では、上述の実施形態と同様である。
図５〜図７に示すように、図４のカバー部材２０は、ケース部３の対面壁部１７，１７の上端縁に係止される引掛片１４，１４から成る係止手段２５を具備している。引掛片１４，１４は、側壁部２３，２３と天井壁部２６の境界部の内面に突設され、カバー部材２０がケース部３に包囲状に被せられた状態で、対面壁部１７，１７の上端縁に引っ掛かって、カバー部材２０が開かないように、その姿勢を保持させている。そして、ケース部３を包囲状として保持されたカバー部材２０は、軸部材２９が左右外方から取付けられて強固に固着される。
他の実施形態の角度調整金具に於て、その他の構成は上述の実施の形態と同様であるため説明を省略する。
【００２４】
さらに、図８〜図１１は、本発明の別の実施形態を示した図である。
図８〜図１１では、カバー部材２０は、ケース部３の対面壁部１７，１７に貫設された左右一対の孔部３９，３９に嵌込可能とした小突起１５，１５から成る係止手段２５を具備している。小突起１５，１５は、側壁部２３，２３と天井壁部２６の境界部の内面に突設され、先端近傍にかえし片を有している。小突起１５，１５は、孔部３９，３９にかえし片を弾性変形させつつ無理矢理に圧入することで、かえし片が抜止めとなって対面壁部１７，１７に固着されている。カバー部材２０がケース部３に包囲状に被せられた状態で、小突起１５，１５が孔部３９，３９に嵌込まれて、カバー部材２０が開かないようにし、軸部材２９がカバー部材２０の左右外方から取付けられて強固に固着される。
別の実施形態の角度調整金具に於て、その他の構成は上述の実施の形態と同様であるため説明を省略する。
【００２５】
上述した本発明の角度調整金具の使用方法（作用）について説明する。
本発明の角度調整金具は、図１に示す第１アーム１と第２アーム２が直線状となる傾倒状態から、徐々に第２アーム２が揺動軸心Ｃ廻りに揺動し、図２に示すような第１アーム１に対し第２アーム２が任意の傾斜角度θで保持される起立状態となる。この起立状態下で、第２アーム２は、浮動くさび部材６のくさび作用により、矢印Ｂ方向への揺動が規制されロックされている。なお、浮動くさび部材６のくさび作用とは、浮動くさび部材６の歯面７がギア部４に噛合すると共に、当接面９がくさび面８に当接して、第２アーム２の揺動を係止することをいう。
【００２６】
図１，図２に於て、第２アーム２を矢印Ａ方向へ揺動させると、浮動くさび部材６の歯面７がギア部４をカチカチと音をたてて乗り越える。最大起立状態に至るまでの途中で、第２アーム２を矢印Ｂ方向へ揺動させようとしても、浮動くさび部材６のくさび作用が効いているため、その揺動が規制される。そして、第２アーム２を矢印Ａ方向へさらに揺動させて最大起立状態とすると、浮動くさび部材６が退避空間部１１に収容され、ロックが解除された状態（くさび作用が無効）となる。従って、第２アーム２は、第１アーム１に対して揺動自在となり、図１の傾倒状態に戻すことができる。傾倒状態に戻されると、浮動くさび部材６はギア部４と再び噛合し、くさび作用が復元して第２アーム２の揺動が規制される。
【００２７】
例えば、図１２に示す椅子Ｅ（座いす）に於て、角度調整金具をクッション材や被覆布等で被覆するように設けた場合であっても、カバー部材２０は、第１アーム１及び第２アーム２の下面と被覆布等の相手部材との接触面圧が過大とならないようにして保護し、かつ、浮動くさび部材６とギア部４の噛合箇所にクッション材や塵埃、小さな布片又はゴミが噛み込むのを防止する。なお、図示省略するが、椅子Ｅ（座いす）の前部が斜め上方に浮くように傾けて使用する場合であっても、カバー部材２０の可撓舌片３０が、被覆布や床面に対し、緩やかに弯曲しつつ当接し、相手部材に作用する面圧が過大となるのを防止し、被覆布や床面が損傷するのを防止できる。
【００２８】
カバー部材２０は、ケース部３に包囲状に取着された状態で強固に固着されているため、浮動くさび部材６の脱落を確実に防止し、誤動作や故障のリスクを軽減する。特に、側壁部２３，２３が浮動くさび部材６に当接乃至近接する箇所が、係止手段２５による係止部位、側壁部２３，２３と底壁部２４との連結部位、及び、軸部材２９による枢結部位、の３点に取り囲まれているので、浮動くさび部材６に多少大きな力が作用しても左右からしっかりと固定して保持することができる。
【００２９】
なお、本発明は、設計変更可能であって、例えば、角度調整機構１９は、ラチェット爪と歯車の噛合による角度調整機能を有するものであっても良い。また、カバー部材２０は、本発明の要旨を変更するものでなければ、デザインや寸法比率等を設計変更しても同様の作用・効果を発揮するものである。
【００３０】
以上のように、本発明に係る角度調整金具は、揺動軸心Ｃ廻りに揺動可能に枢結された第１アーム１と第２アーム２とを備え、第１アーム１は、所定の間隔１６をもって配設される一対の対面壁部１７，１７を有するケース部３を備え、第１アーム１と第２アーム２の一方向Ａへの相対的な揺動を可能としつつ他方向Ｂへの相対的な揺動を多段階で規制して所定の傾斜角度θで保持する角度調整機構１９を備えた角度調整金具に於て、ケース部３を包囲する合成樹脂製のカバー部材２０を備え、カバー部材２０は、第１アーム１及び第２アーム２の下面との摩擦による相手部材の破損を防止する相手部材保護用の底壁部２４と、角度調整機構１９への異物侵入防止用の天井壁部２６と、底壁部２４と天井壁部２６を連結する左右一対の側壁部２３，２３と、を一体に有しているので、合成樹脂製のカバー部材２０によって、異物侵入防止用と相手部材保護用の部品を兼用一体化できる。クッション材や被覆布が破れる等の破損が起こりにくく、長持ちさせることができる。従来は複数の部品で構成されていた部品を、単一のカバー部材２０に一体化して部品点数を減らすことができ、強固にケース部３に固着可能であって、コストを低く抑えることができる。
【００３１】
また、角度調整機構１９は、揺動軸心Ｃを中心とする円弧線に沿って第２アーム２側に形成されたギア部４と、第１アーム１側に形成したくさび面８とギア部４の間に移動可能として保持されると共に一面側がギア部４に噛合可能な歯面７とされ他面側がくさび面８に当接する当接面９とされた浮動くさび部材６と、を具備し、浮動くさび部材６のくさび作用により第２アーム２が第１アーム１に対して他方向Ｂへ揺動するのを規制するように構成され、カバー部材２０の側壁部２３，２３が浮動くさび部材６の左右側端面６Ａ，６Ａに当接乃至近接して脱落を防止するように構成されているので、浮動くさび部材６の脱落を防止し、誤動作や故障のリスクを軽減できる。
【００３２】
また、カバー部材２０は、ケース部３に係止してケース部３に包囲状に取着するための係止手段２５を具備するので、カバー部材２０をケース部３に包囲状に取着した状態で強固に固着でき、浮動くさび部材６の脱落を確実に防止できる。
【００３３】
また、カバー部材２０は、第２アーム２が揺動に伴って進入可能なスリット状開口部２１を有し、開口部２１の左右側端縁に、第２アーム２に摺接して拡幅可能な薄肉片状のリップ部２２が形成されているので、第２アーム２がスムーズに揺動でき、かつ、開口部２１からクッション材や塵埃、小さな布片又はゴミ等の異物が噛み込むリスクを軽減できる。
【００３４】
また、ギア部４は、所定間隔をもって配設した２枚のギア板部２７，２７をもって構成され、第１アーム１と第２アーム２は、ケース部３の対面壁部１７，１７間の間隔１６にギア板部２７，２７を収納し、かつ、カバー部材２０がケース部３を包囲状に被覆するように取着され、さらに、カバー部材２０の左右外方から側壁部２３，２３及び対面壁部１７，１７及びギア板部２７，２７に軸部材２９を貫通して枢結されているので、カバー部材２０をケース部３に包囲状に取着した状態で強固に固着できる。
【００３５】
また、背部３５と座部３６を有する椅子Ｅに於て、背部３５の傾斜角度を調整できるように背部３５と座部３６との間に配設される角度調整金具であって、第１アーム１は、ケース部３から延伸する第１取付部１８を有し、第２アーム２は、ギア部４から延伸する第２取付部２８を有し、第１取付部１８と第２取付部２８に背部３５又は座部３６のパイプフレームＦを外嵌すると共にパイプフレームＦの先端から所定寸法離れた位置に形成された貫孔３４の内部を溶接することにより固着されているので、溶接の熱の影響でカバー部材２０が溶けて変形するのを防止できる。特に、椅子Ｅ（座椅子）等の製作工程に於て、枠体としてのパイプフレームＦ，Ｆとの溶接の後に、取着する必要がなくなり、予め角度調整金具単品にて、合成樹脂製のカバー部材２０をユニット化できる。
また、貫孔３４の内部を溶接させることで、溶接強度を確保すると共に、溶接の狙いを定め易くして作業効率を向上できる。
【００３６】
また、カバー部材２０は、底壁部２４の後端縁に連設されると共に側壁部２３，２３と分離して上下揺動自在の可撓舌片３０を有しているので、椅子Ｅ（座いす）の前部が斜め上方に浮くように傾けて使用する場合であっても、カバー部材２０と相手部材との間に作用する面圧が過大となるのを防止でき、被覆布や床面が損傷するのを防止できる。
【符号の説明】
【００３７】
１  第１アーム
２  第２アーム
３  ケース部
４  ギア部
６  浮動くさび部材
６Ａ  左右側端面
７  歯面
８  くさび面
９  当接面
１６  間隔
１７  対面壁部
１８  第１取付部
１９  角度調整機構
２０  カバー部材
２１  開口部
２２  リップ部
２３  側壁部
２４  底壁部
２５  係止手段
２６  天井壁部
２７  ギア板部
２８  第２取付部
２９  軸部材
３０  可撓舌片
３４  貫孔
３５  背部
３６  座部
Ａ  一方向
Ｂ  他方向
Ｃ  揺動軸心
Ｅ  椅子
Ｆ  パイプフレーム
θ  傾斜角度
【図１】
2013192739.tif 000003
【図２】
2013192739.tif 000004
【図３】
2013192739.tif 000005
【図４】
2013192739.tif 000006
【図５】
2013192739.tif 000007
【図６】
2013192739.tif 000008
【図７】
2013192739.tif 000009
【図８】
2013192739.tif 000010
【図９】
2013192739.tif 000011
【図１０】
2013192739.tif 000012
【図１１】
2013192739.tif 000013
【図１２】
2013192739.tif 000014
【図１３】
2013192739.tif 000015
【図１４】
2013192739.tif 000016
【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
揺動軸心（Ｃ）廻りに揺動可能に枢結された第１アーム（１）と第２アーム（２）とを備え、該第１アーム（１）は、所定の間隔（１６）をもって配設される一対の対面壁部（１７）（１７）を有するケース部（３）を備え、上記第１アーム（１）と上記第２アーム（２）の一方向（Ａ）への相対的な揺動を可能としつつ他方向（Ｂ）への相対的な揺動を多段階で規制して所定の傾斜角度（θ）で保持する角度調整機構（１９）を備えた角度調整金具に於て、
上記ケース部（３）を包囲する合成樹脂製のカバー部材（２０）を備え、該カバー部材（２０）は、該第１アーム（１）及び該第２アーム（２）の下面との摩擦による相手部材の破損を防止する相手部材保護用の底壁部（２４）と、上記角度調整機構（１９）への異物侵入防止用の天井壁部（２６）と、該底壁部（２４）と該天井壁部（２６）を連結する左右一対の側壁部（２３）（２３）とを、一体に有し、
さらに、上記カバー部材（２０）は、上記第２アーム（２）が一方向（Ａ）への揺動に伴って進入可能な該第２アーム（２）の進入路を有し、該第２アーム（２）の進入路の左右側端縁には、該進入路を拡幅するように揺動可能な薄肉片状のリップ部（２２）が形成され、進入路に上記第２アーム（２）が進入した際、上記リップ部（２２）が上記第２アーム（２）に摺接して拡開するように構成されていることを特徴とする角度調整金具。
【請求項２】
上記角度調整機構（１９）は、揺動軸心（Ｃ）を中心とする円弧線に沿って上記第２アーム（２）側に形成されたギア部（４）と、上記第１アーム（１）側に形成したくさび面（８）と上記ギア部（４）の間に移動可能として保持されると共に一面側が上記ギア部（４）に噛合可能な歯面（７）とされ他面側が上記くさび面（８）に当接する当接面（９）とされた浮動くさび部材（６）と、を具備し、該浮動くさび部材（６）のくさび作用により上記第２アーム（２）が上記第１アーム（１）に対して他方向（Ｂ）へ揺動するのを規制するように構成され、上記カバー部材（２０）の上記側壁部（２３）（２３）が上記浮動くさび部材（６）の左右側端面（６Ａ）（６Ａ）に当接乃至近接して脱落を防止するように構成されている請求項１記載の角度調整金具。
【請求項３】
上記カバー部材（２０）は、上記ケース部（３）に係止して該ケース部（３）に包囲状に取着するための係止手段（２５）を具備する請求項１又は２記載の角度調整金具。
【請求項４】
上記ギア部（４）は、所定間隔をもって配設した２枚のギア板部（２７）（２７）をもって構成され、上記第１アーム（１）と上記第２アーム（２）は、上記ケース部（３）の上記対面壁部（１７）（１７）間の上記間隔（１６）に上記ギア板部（２７）（２７）を収納し、かつ、上記カバー部材（２０）が該ケース部（３）を包囲状に被覆するように取着され、さらに、上記カバー部材（２０）の左右外方から上記側壁部（２３）（２３）及び上記対面壁部（１７）（１７）及び上記ギア板部（２７）（２７）に軸部材（２９）を貫通して枢結されている請求項１，２又は３記載の角度調整金具。
【請求項５】
背部（３５）と座部（３６）を有する椅子（Ｅ）に於て、上記背部（３５）の傾斜角度を調整できるように上記背部（３５）と上記座部（３６）との間に配設される角度調整金具であって、
上記第１アーム（１）は、上記ケース部（３）から延伸する第１取付部（１８）を有し、上記第２アーム（２）は、上記ギア部（４）から延伸する第２取付部（２８）を有し、該第１取付部（１８）と該第２取付部（２８）に上記背部（３５）又は上記座部（３６）のパイプフレーム（Ｆ）を外嵌すると共に該パイプフレーム（Ｆ）の先端から所定寸法離れた位置に形成された貫孔（３４）の内部を溶接することにより固着されている請求項２，３又は４記載の角度調整金具。
【請求項６】
上記カバー部材（２０）は、上記底壁部（２４）の後端縁に連設されると共に上記側壁部（２３）（２３）と分離して上下揺動自在の可撓舌片（３０）を有している請求項１，２，３，４又は５記載の角度調整金具。
【手続補正２】
【補正対象書類名】明細書
【補正対象項目名】０００８
【補正方法】変更
【補正の内容】
【０００８】
本発明に係る角度調節金具は、揺動軸心廻りに揺動可能に枢結された第１アームと第２アームとを備え、該第１アームは、所定の間隔をもって配設される一対の対面壁部を有するケース部を備え、上記第１アームと上記第２アームの一方向への相対的な揺動を可能としつつ他方向への相対的な揺動を多段階で規制して所定の傾斜角度で保持する角度調整機構を備えた角度調整金具に於て、上記ケース部を包囲する合成樹脂製のカバー部材を備え、該カバー部材は、該第１アーム及び該第２アームの下面との摩擦による相手部材の破損を防止する相手部材保護用の底壁部と、上記角度調整機構への異物侵入防止用の天井壁部と、該底壁部と該天井壁部を連結する左右一対の側壁部とを、一体に有し、さらに、上記カバー部材は、上記第２アームが一方向への揺動に伴って進入可能な該第２アームの進入路を有し、該第２アームの進入路の左右側端縁には、該進入路を拡幅するように揺動可能な薄肉片状のリップ部が形成され、進入路に上記第２アームが進入した際、上記リップ部が上記第２アームに摺接して拡開するように構成されているものである。
【手続補正３】
【補正対象書類名】明細書
【補正対象項目名】００１０
【補正方法】変更
【補正の内容】
【００１０】
また、上記ギア部は、所定間隔をもって配設した２枚のギア板部をもって構成され、上記第１アームと上記第２アームは、上記ケース部の上記対面壁部間の上記間隔に上記ギア板部を収納し、かつ、上記カバー部材が該ケース部を包囲状に被覆するように取着され、さらに、上記カバー部材の左右外方から上記側壁部及び上記対面壁部及び上記ギア板部に軸部材を貫通して枢結されているものである。
【手続補正４】
【補正対象書類名】図面
【補正対象項目名】図１
【補正方法】変更
【補正の内容】
【図１】
2013192739.tif 000017